【手続補正書】
【提出日】平成16年5月11日(2004.5.11)
【手続補正１】
【補正対象書類名】明細書
【補正対象項目名】特許請求の範囲
【補正方法】変更
【補正の内容】
【特許請求の範囲】
【請求項１】
画像表示部の縦横比と異なる縦横比をもつ画像データを取得する撮影手段と、
前記撮影手段により取得された画像データを前記画像表示部に表示させる表示制御手段とを備え、
前記表示制御手段は、更に、前記撮影手段により取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示させるスクロール表示制御手段を備え、
前記スクロール表示制御手段は、更に、
前記画像表示部に前記画像データ全体を第１のスクロール方向にスクロール表示させる第１のスクロール表示制御手段と、
前記第１のスクロール表示制御手段により前記画像表示部に前記画像データ全体が第１のスクロール方向にスクロール表示されている間、前記画像表示部に前記画像データ中の端の部分画像データが表示されたか否かを判断する判断手段と、
前記判断手段により前記画像表示部に前記画像データ中の端の部分画像データが表示されたと判断された場合、前記画像表示部全体のスクロール方向を、前記第１のスクロール方向に対して反対方向である第２のスクロール方向に変更する第２のスクロール表示制御手段とを含むことを特徴とする電子スチルカメラ。
【請求項２】
画像表示部の縦横比と異なる縦横比をもつ画像データを取得する撮影手段と、
前記撮影手段により取得された画像データを前記画像表示部に表示させる表示制御手段とを備え、
前記表示制御手段は、更に、前記撮影手段により取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示させるスクロール表示制御手段を備え、
前記スクロール表示制御手段は、更に、
前記画像表示部に前記画像データ全体を第１のスクロール方向にスクロール表示させる第１のスクロール表示制御手段と、
前記第１のスクロール表示制御手段により前記画像表示部に前記画像データ全体が第１のスクロール方向にスクロール表示されている間、前記画像表示部に前記画像データ中の一方の端の部分画像データが表示されたか否かを判断する判断手段と、
前記判断手段により前記画像表示部に前記画像データ中の一方の端の部分画像データが表示されたと判断された場合、前記画像データ中の他方の端の部分画像データを表示させることにより前記第１のスクロール表示制御手段による前記第１のスクロール方向のスクロール表示を続行させる第２のスクロール表示制御手段とを含むことを特徴とする電子スチルカメラ。
【請求項３】
前記第２のスクロール表示制御手段は、前記判断手段により前記画像表示部に前記画像データ中の一方の端の部分画像データが表示されたと判断された場合、該一方の端の部分画像データと、前記画像データ中の他方の端の部分画像データとを合成し、この合成画像データを前記画像表示部に表示させることにより前記第１のスクロール表示制御手段による前記第１のスクロール方向のスクロール表示を続行させることを特徴とする請求項２記載の電子スチルカメラ。
【請求項４】
画像表示部の縦横比と異なる縦横比をもつ画像データを取得する撮影手段と、
前記撮影手段により取得された画像データを圧縮する圧縮手段と、
前記圧縮手段により圧縮された圧縮画像を複数記憶する記憶手段と、
前記記憶手段に記憶されている圧縮画像データを前記画像表示部に表示するための再生モードを手動操作により設定するモード設定手段と、
前記モード設定手段により再生モードが設定された場合に、前記記憶手段に記憶されている複数の圧縮画像データの中から少なくとも１つの圧縮画像データを選択する選択手段と、
前記選択手段による選択操作に応答して該選択された圧縮画像データを伸長する伸長手段と、
前記伸長手段により伸長された伸長画像データ中の部分画像データを、前記選択手段による選択操作に応答して前記画像表示部に表示させる表示制御手段と、
前記選択手段による選択操作に応答して前記伸長画像データ全体を前記画像表示部に表示させるために伸長画像データのスクロール表示を開始するスクロール表示制御手段と、
を備えたことを特徴とする電子スチルカメラ。
【請求項５】
画像表示部の縦横比と異なる縦横比をもつ画像データを取得する撮影手段と、
前記撮影手段により取得された画像データを前記画像表示部に表示させる表示制御手段とを備え、
前記表示制御手段は、更に、
前記撮影手段により取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示させる第１のスクロール表示制御手段と、
前記第１のスクロール表示制御手段による前記画像データ全体の前記画像表示部へのスクロール表示が完了したか否かを判断する判断手段と、
前記判断手段により前記画像データ全体の前記画像表示部へのスクロール表示が完了したと判断された場合、スクロール表示を停止する第２のスクロール表示制御手段とを含むことを特徴とする電子スチルカメラ。
【請求項６】
前記撮影手段により取得された複数の画像データの中から所望の画像データを選択する選択手段を備え、
前記第１及び第２のスクロール表示制御手段は、前記選択手段により選択された画像データのスクロール表示を制御することを特徴とする請求項５記載の電子スチルカメラ。
【請求項７】
前記画像表示部における前記画像データのスクロール表示を指示するスクロール指示手段を備え、
前記第１のスクロール表示制御手段は、前記スクロール指示手段からの指示に応じて、画像データ中の一方の端の部分画像データから他方の端の部分画像データまで、前記画像表示部に表示させる前記部分画像データを連続的に変更制御することにより、前記画像表示部に前記画像データ全体をスクロール表示させることを特徴とする請求項５又は６記載の電子スチルカメラ。
【請求項８】
前記撮影手段により取得された複数の画像データの中から１つの画像データを順次切り換え選択する選択制御手段を備え、
前記第１のスクロール表示制御手段は、前記選択制御手段により選択された画像データ中の一方の端の部分画像データから他方の端の部分画像データまで、前記画像表示部に表示させる前記部分画像データを連続的に変更制御することにより、前記画像表示部に前記画像データをスクロール表示させ、
前記選択制御手段は、前記第２のスクロール表示制御手段によるスクロール表示の停止後、他の画像データを選択することを特徴とする請求項５記載の電子スチルカメラ。
【請求項９】
画像表示部の縦横比と異なる縦横比をもつ横長画像データ、画像表示部の縦横比と異なる縦横比をもつ縦長画像データを取得する撮影手段と、
前記撮影手段により取得された横長画像データ及び縦長画像データを圧縮する圧縮手段と、
前記圧縮手段により圧縮された圧縮画像データを複数記憶する記憶手段と、
前記記憶手段に記憶されている圧縮画像データを前記画像表示部に表示するための再生モードを手動操作により設定するモード設定手段と、
前記モード設定手段により再生モードが設定された場合に、前記記憶手段に記憶されている複数の圧縮画像データの中から少なくとも１つの圧縮画像データを選択する選択手段と、
前記選択手段により選択された圧縮画像データを伸長する伸長手段と、
前記伸長手段により伸長された伸長画像データの一部である部分画像データを前記画像表示部に表示する表示制御手段と、
前記選択手段により選択された圧縮画像データが、横長画像データであるのか縦長画像データであるのかを判別する判別手段と、
前記判別手段により前記圧縮画像データが横長画像データであると判別された場合、前記画像表示部に表示させる前記部分画像データを横方向に連続的に変更制御することにより前記画像表示部に前記横長画像データ全体をスクロール表示させる第１のスクロール表示制御手段と、
前記判別手段により前記圧縮画像データが縦長画像データであると判別された場合、前記画像表示部に表示させる前記部分画像データを縦方向に連続的に変更制御することにより前記画像表示部に前記縦長画像データ全体をスクロール表示させる第２のスクロール表示制御手段と
を備えたことを特徴とする電子スチルカメラ。
【請求項１０】
前記撮影手段により取得された複数の画像データの中から１つの画像データを選択する選択手段を備え、
前記判別手段は、前記選択手段により選択された画像データが、横長画像データであるのか縦長画像データであるのかを判別することを特徴とする請求項９記載の電子スチルカメラ。
【請求項１１】
前記画像表示部における前記画像データのスクロール表示を指示するスクロール指示手段を備え、
前記判別手段は、前記スクロール指示手段によりスクロール表示が指示された画像データが、横長画像データであるのか縦長画像データであるのかを判別し、
前記第１のスクロール表示制御手段は、前記判別手段により横長画像データであると判別された場合、前記スクロール指示手段からの指示に応じて横方向へのスクロール表示を行い、
前記第２のスクロール表示制御手段は、前記判別手段により縦長画像データであると判別された場合、前記スクロール指示手段からの指示に応じて縦方向へのスクロール表示を行なうことを特徴とする請求項９又は１０記載の電子スチルカメラ。
【請求項１２】
画像表示部の縦横比と異なる縦横比をもつ画像データを取得する工程と、
前記取得された画像データを前記画像表示部に表示させる場合、該画像データ中の部分画像データを前記画像表示部に表示させるとともに、前記画像表示部に表示させる前記部分画像データを第１のスクロール方向に連続的に変更制御することにより、前記画像表示部に前記画像データ全体を第１のスクロール方向にスクロール表示する工程と、
前記画像表示部に前記画像データ全体が第１のスクロール方向にスクロール表示されている間、前記画像表示部に前記画像データ中の端の部分画像データが表示されたか否かを判断する工程と、
前記画像表示部に前記画像データ中の端の部分画像データが表示されたと判断された場合、前記画像表示部全体のスクロール方向を、前記第１のスクロール方向に対して反対方向である第２のスクロール方向に変更する工程と、
を有する画像再生方法。
【請求項１３】
画像表示部の縦横比と異なる縦横比をもつ画像データを取得する工程と、
前記取得された画像データを前記画像表示部に表示させる場合、該画像データ中の部分画像データを前記画像表示部に表示させるとともに、前記画像表示部に表示させる前記部分画像データを第１のスクロール方向に連続的に変更制御することにより、前記画像表示部に前記画像データ全体を第１のスクロール方向にスクロール表示する工程と、
前記画像表示部に前記画像データ全体が第１のスクロール方向にスクロール表示されている間、前記画像表示部に前記画像データ中の一方の端の部分画像データが表示されたか否かを判断する工程と、
前記画像表示部に前記画像データ中の一方の端の部分画像データが表示されたと判断された場合、前記画像データ中の他方の端の部分画像データを表示させることにより前記第１のスクロール方向のスクロール表示を続行させる工程と、
を有する画像再生方法。
【請求項１４】
画像表示部の縦横比と異なる縦横比をもつ圧縮画像データを取得する工程と、
前記取得された圧縮画像データを複数記憶する工程と、
前記記憶された圧縮画像データを前記画像表示部に表示するための再生モードを手動操作により設定する工程と、
前記再生モードが設定された場合に、前記記憶された複数の圧縮画像データの中から少なくとも１つの圧縮画像データを選択する工程と、
前記選択操作に応答して該選択された圧縮画像データを伸長する工程と、
前記伸長された伸長画像データ中の部分画像データを、前記選択操作に応答して前記画像表示部に表示させる工程と、
前記選択操作に応答して前記伸長画像データ全体を前記画像表示部に表示させるために伸長画像データのスクロール表示を開始する工程と、
を有する画像再生方法。
【請求項１５】
画像表示部の縦横比と異なる縦横比をもつ画像データを取得する工程と、
前記取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示する工程と、
前記画像データ全体の前記画像表示部へのスクロール表示が完了したか否かを判断する工程と、
前記画像データ全体の前記画像表示部へのスクロール表示が完了したと判断された場合、スクロール表示を停止する工程と、
を有する画像再生方法。
【請求項１６】
画像表示部の縦横比と異なる縦横比をもつ圧縮横長画像データ、画像表示部の縦横比と異なる縦横比をもつ圧縮縦長画像データを取得する工程と、
前記取得された圧縮画像データを複数記憶する記憶手段と、
前記記憶された圧縮画像データを前記画像表示部に表示するための再生モードを手動操作により設定する工程と、
前記再生モードが設定された場合に、前記記憶された複数の圧縮画像データの中から少なくとも１つの圧縮画像データを選択する工程と、
前記選択された圧縮画像データを伸長する工程と、
前記伸長された伸長画像データの一部である部分画像データを前記画像表示部に表示する工程と、
前記選択された圧縮画像データが、横長画像データであるのか縦長画像データであるのかを判別する工程と、
前記圧縮画像データが横長画像データであると判別された場合、前記画像表示部に表示させる前記部分画像データを横方向に連続的に変更制御することにより前記画像表示部に前記横長画像データ全体をスクロール表示させる工程と、
前記圧縮画像データが縦長画像データであると判別された場合、前記画像表示部に表示させる前記部分画像データを縦方向に連続的に変更制御することにより前記画像表示部に前記縦長画像データ全体をスクロール表示させる工程と、
を有する画像再生方法。
【手続補正２】
【補正対象書類名】明細書
【補正対象項目名】０００９
【補正方法】変更
【補正の内容】
【０００９】
【課題を解決するための手段】
請求項１記載の発明は、
画像表示部の縦横比と異なる縦横比をもつ画像データを取得する撮影手段と、
前記撮影手段により取得された画像データを前記画像表示部に表示させる表示制御手段とを備え、
前記表示制御手段は、更に、前記撮影手段により取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示させるスクロール表示制御手段を備え、
前記スクロール表示制御手段は、更に、
前記画像表示部に前記画像データ全体を第１のスクロール方向にスクロール表示させる第１のスクロール表示制御手段と、
前記第１のスクロール表示制御手段により前記画像表示部に前記画像データ全体が第１のスクロール方向にスクロール表示されている間、前記画像表示部に前記画像データ中の端の部分画像データが表示されたか否かを判断する判断手段と、
前記判断手段により前記画像表示部に前記画像データ中の端の部分画像データが表示されたと判断された場合、前記画像表示部全体のスクロール方向を、前記第１のスクロール方向に対して反対方向である第２のスクロール方向に変更する第２のスクロール表示制御手段とを含むことを特徴としている。
【手続補正３】
【補正対象書類名】明細書
【補正対象項目名】００１０
【補正方法】変更
【補正の内容】
【００１０】
また、請求項２記載の発明は、
画像表示部の縦横比と異なる縦横比をもつ画像データを取得する撮影手段と、
前記撮影手段により取得された画像データを前記画像表示部に表示させる表示制御手段とを備え、
前記表示制御手段は、更に、前記撮影手段により取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示させるスクロール表示制御手段を備え、
前記スクロール表示制御手段は、更に、
前記画像表示部に前記画像データ全体を第１のスクロール方向にスクロール表示させる第１のスクロール表示制御手段と、
前記第１のスクロール表示制御手段により前記画像表示部に前記画像データ全体が第１のスクロール方向にスクロール表示されている間、前記画像表示部に前記画像データ中の一方の端の部分画像データが表示されたか否かを判断する判断手段と、
前記判断手段により前記画像表示部に前記画像データ中の一方の端の部分画像データが表示されたと判断された場合、前記画像データ中の他方の端の部分画像データを表示させることにより前記第１のスクロール表示制御手段による前記第１のスクロール方向のスクロール表示を続行させる第２のスクロール表示制御手段とを含むことを特徴としている。
【手続補正４】
【補正対象書類名】明細書
【補正対象項目名】００１１
【補正方法】変更
【補正の内容】
【００１１】
また、請求項３記載の発明のように、
請求項２記載の電子スチルカメラにおいて、
前記第２のスクロール表示制御手段は、前記判断手段により前記画像表示部に前記画像データ中の一方の端の部分画像データが表示されたと判断された場合、該一方の端の部分画像データと、前記画像データ中の他方の端の部分画像データとを合成し、この合成画像データを前記画像表示部に表示させることにより前記第１のスクロール表示制御手段による前記第１のスクロール方向のスクロール表示を続行させるようにしてもよい。
【手続補正５】
【補正対象書類名】明細書
【補正対象項目名】００１２
【補正方法】変更
【補正の内容】
【００１２】
また、請求項４記載の発明は、
画像表示部の縦横比と異なる縦横比をもつ画像データを取得する撮影手段と、
前記撮影手段により取得された画像データを圧縮する圧縮手段と、
前記圧縮手段により圧縮された圧縮画像を複数記憶する記憶手段と、
前記記憶手段に記憶されている圧縮画像データを前記画像表示部に表示するための再生モードを手動操作により設定するモード設定手段と、
前記モード設定手段により再生モードが設定された場合に、前記記憶手段に記憶されている複数の圧縮画像データの中から少なくとも１つの圧縮画像データを選択する選択手段と、
前記選択手段による選択操作に応答して該選択された圧縮画像データを伸長する伸長手段と、
前記伸長手段により伸長された伸長画像データ中の部分画像データを、前記選択手段による選択操作に応答して前記画像表示部に表示させる表示制御手段と、
前記選択手段による選択操作に応答して前記伸長画像データ全体を前記画像表示部に表示させるために伸長画像データのスクロール表示を開始するスクロール表示制御手段と、
を備えたことを特徴としている。
【手続補正６】
【補正対象書類名】明細書
【補正対象項目名】００１３
【補正方法】変更
【補正の内容】
【００１３】
また、請求項５記載の発明は、
画像表示部の縦横比と異なる縦横比をもつ画像データを取得する撮影手段と、
前記撮影手段により取得された画像データを前記画像表示部に表示させる表示制御手段とを備え、
前記表示制御手段は、更に、
前記撮影手段により取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示させる第１のスクロール表示制御手段と、
前記第１のスクロール表示制御手段による前記画像データ全体の前記画像表示部へのスクロール表示が完了したか否かを判断する判断手段と、
前記判断手段により前記画像データ全体の前記画像表示部へのスクロール表示が完了したと判断された場合、スクロール表示を停止する第２のスクロール表示制御手段とを含むことを特徴としている。
【手続補正７】
【補正対象書類名】明細書
【補正対象項目名】００１４
【補正方法】変更
【補正の内容】
【００１４】
また、請求項６記載の発明のように、
請求項５記載の電子スチルカメラにおいて、
前記撮影手段により取得された複数の画像データの中から所望の画像データを選択する選択手段を備え、
前記第１及び第２のスクロール表示制御手段は、前記選択手段により選択された画像データのスクロール表示を制御するようにしてもよい。
【手続補正８】
【補正対象書類名】明細書
【補正対象項目名】００１５
【補正方法】変更
【補正の内容】
【００１５】
また、請求項７記載の発明のように、
請求項５又は６記載の電子スチルカメラにおいて、
前記画像表示部における前記画像データのスクロール表示を指示するスクロール指示手段を備え、
前記第１のスクロール表示制御手段は、前記スクロール指示手段からの指示に応じて、画像データ中の一方の端の部分画像データから他方の端の部分画像データまで、前記画像表示部に表示させる前記部分画像データを連続的に変更制御することにより、前記画像表示部に前記画像データ全体をスクロール表示させるようにしてもよい。
【手続補正９】
【補正対象書類名】明細書
【補正対象項目名】００１６
【補正方法】変更
【補正の内容】
【００１６】
また、請求項８記載の発明のように、
請求項５記載の電子スチルカメラにおいて、
前記撮影手段により取得された複数の画像データの中から１つの画像データを順次切り換え選択する選択制御手段を備え、
前記第１のスクロール表示制御手段は、前記選択制御手段により選択された画像データ中の一方の端の部分画像データから他方の端の部分画像データまで、前記画像表示部に表示させる前記部分画像データを連続的に変更制御することにより、前記画像表示部に前記画像データをスクロール表示させ、
前記選択制御手段は、前記第２のスクロール表示制御手段によるスクロール表示の停止後、他の画像データを選択するようにしてもよい。
【手続補正１０】
【補正対象書類名】明細書
【補正対象項目名】００１７
【補正方法】変更
【補正の内容】
【００１７】
また、請求項９記載の発明は、
画像表示部の縦横比と異なる縦横比をもつ横長画像データ、画像表示部の縦横比と異なる縦横比をもつ縦長画像データを取得する撮影手段と、
前記撮影手段により取得された横長画像データ及び縦長画像データを圧縮する圧縮手段と、
前記圧縮手段により圧縮された圧縮画像データを複数記憶する記憶手段と、
前記記憶手段に記憶されている圧縮画像データを前記画像表示部に表示するための再生モードを手動操作により設定するモード設定手段と、
前記モード設定手段により再生モードが設定された場合に、前記記憶手段に記憶されている複数の圧縮画像データの中から少なくとも１つの圧縮画像データを選択する選択手段と、
前記選択手段により選択された圧縮画像データを伸長する伸長手段と、
前記伸長手段により伸長された伸長画像データの一部である部分画像データを前記画像表示部に表示する表示制御手段と、
前記選択手段により選択された圧縮画像データが、横長画像データであるのか縦長画像データであるのかを判別する判別手段と、
前記判別手段により前記圧縮画像データが横長画像データであると判別された場合、前記画像表示部に表示させる前記部分画像データを横方向に連続的に変更制御することにより前記画像表示部に前記横長画像データ全体をスクロール表示させる第１のスクロール表示制御手段と、
前記判別手段により前記圧縮画像データが縦長画像データであると判別された場合、前記画像表示部に表示させる前記部分画像データを縦方向に連続的に変更制御することにより前記画像表示部に前記縦長画像データ全体をスクロール表示させる第２のスクロール表示制御手段と
を備えたことを特徴としている。
【手続補正１１】
【補正対象書類名】明細書
【補正対象項目名】００１８
【補正方法】変更
【補正の内容】
【００１８】
また、請求項１０記載の発明のように、
請求項９記載の電子スチルカメラにおいて、
前記撮影手段により取得された複数の画像データの中から１つの画像データを選択する選択手段を備え、
前記判別手段は、前記選択手段により選択された画像データが、横長画像データであるのか縦長画像データであるのかを判別するようにしてもよい。
【手続補正１２】
【補正対象書類名】明細書
【補正対象項目名】００１９
【補正方法】変更
【補正の内容】
【００１９】
また、請求項１１記載の発明のように、
請求項９又は１１記載の電子スチルカメラにおいて、
前記画像表示部における前記画像データのスクロール表示を指示するスクロール指示手段を備え、
前記判別手段は、前記スクロール指示手段によりスクロール表示が指示された画像データが、横長画像データであるのか縦長画像データであるのかを判別し、
前記第１のスクロール表示制御手段は、前記判別手段により横長画像データであると判別された場合、前記スクロール指示手段からの指示に応じて横方向へのスクロール表示を行い、
前記第２のスクロール表示制御手段は、前記判別手段により縦長画像データであると判別された場合、前記スクロール指示手段からの指示に応じて縦方向へのスクロール表示を行なうようにしてもよい。
【手続補正１３】
【補正対象書類名】明細書
【補正対象項目名】００２０
【補正方法】変更
【補正の内容】
【００２０】
また、請求項１２記載の発明は、
画像表示部の縦横比と異なる縦横比をもつ画像データを取得する工程と、
前記取得された画像データを前記画像表示部に表示させる場合、該画像データ中の部分画像データを前記画像表示部に表示させるとともに、前記画像表示部に表示させる前記部分画像データを第１のスクロール方向に連続的に変更制御することにより、前記画像表示部に前記画像データ全体を第１のスクロール方向にスクロール表示する工程と、
前記画像表示部に前記画像データ全体が第１のスクロール方向にスクロール表示されている間、前記画像表示部に前記画像データ中の端の部分画像データが表示されたか否かを判断する工程と、
前記画像表示部に前記画像データ中の端の部分画像データが表示されたと判断された場合、前記画像表示部全体のスクロール方向を、前記第１のスクロール方向に対して反対方向である第２のスクロール方向に変更する工程と、
を有する画像再生方法であることを特徴とする。
【手続補正１４】
【補正対象書類名】明細書
【補正対象項目名】００２１
【補正方法】変更
【補正の内容】
【００２１】
また、請求項１３記載の発明は、
画像表示部の縦横比と異なる縦横比をもつ画像データを取得する工程と、
前記取得された画像データを前記画像表示部に表示させる場合、該画像データ中の部分画像データを前記画像表示部に表示させるとともに、前記画像表示部に表示させる前記部分画像データを第１のスクロール方向に連続的に変更制御することにより、前記画像表示部に前記画像データ全体を第１のスクロール方向にスクロール表示する工程と、
前記画像表示部に前記画像データ全体が第１のスクロール方向にスクロール表示されている間、前記画像表示部に前記画像データ中の一方の端の部分画像データが表示されたか否かを判断する工程と、
前記画像表示部に前記画像データ中の一方の端の部分画像データが表示されたと判断された場合、前記画像データ中の他方の端の部分画像データを表示させることにより前記第１のスクロール方向のスクロール表示を続行させる工程と、
を有する画像再生方法であることを特徴とする。
【手続補正１５】
【補正対象書類名】明細書
【補正対象項目名】００２２
【補正方法】変更
【補正の内容】
【００２２】
また、請求項１４記載の発明は、
画像表示部の縦横比と異なる縦横比をもつ圧縮画像データを取得する工程と、
前記取得された圧縮画像データを複数記憶する工程と、
前記記憶された圧縮画像データを前記画像表示部に表示するための再生モードを手動操作により設定する工程と、
前記再生モードが設定された場合に、前記記憶された複数の圧縮画像データの中から少なくとも１つの圧縮画像データを選択する工程と、
前記選択操作に応答して該選択された圧縮画像データを伸長する工程と、
前記伸長された伸長画像データ中の部分画像データを、前記選択操作に応答して前記画像表示部に表示させる工程と、
前記選択操作に応答して前記伸長画像データ全体を前記画像表示部に表示させるために伸長画像データのスクロール表示を開始する工程と、
を有する画像再生方法であることを特徴とする。
【手続補正１６】
【補正対象書類名】明細書
【補正対象項目名】００２３
【補正方法】変更
【補正の内容】
【００２３】
また、請求項１５記載の発明は、
画像表示部の縦横比と異なる縦横比をもつ画像データを取得する工程と、
前記取得された画像データを前記画像表示部に表示させる場合、該画像データ中の部分画像データを前記画像表示部に表示させるとともに、前記画像表示部に表示させる前記部分画像データを連続的に変更制御することにより、前記画像表示部に前記画像データ全体をスクロール表示する工程と、
前記画像データ全体の前記画像表示部へのスクロール表示が完了したか否かを判断する工程と、
前記画像データ全体の前記画像表示部へのスクロール表示が完了したと判断された場合、スクロール表示を停止する工程と、
を有する画像再生方法であることを特徴とする。
【手続補正１７】
【補正対象書類名】明細書
【補正対象項目名】００２４
【補正方法】変更
【補正の内容】
【００２４】
また、請求項１６記載の発明は、
画像表示部の縦横比と異なる縦横比をもつ圧縮横長画像データ、画像表示部の縦横比と異なる縦横比をもつ圧縮縦長画像データを取得する工程と、
前記取得された圧縮画像データを複数記憶する記憶手段と、
前記記憶された圧縮画像データを前記画像表示部に表示するための再生モードを手動操作により設定する工程と、
前記再生モードが設定された場合に、前記記憶された複数の圧縮画像データの中から少なくとも１つの圧縮画像データを選択する工程と、
前記選択された圧縮画像データを伸長する工程と、
前記伸長された伸長画像データの一部である部分画像データを前記画像表示部に表示する工程と、
前記選択された圧縮画像データが、横長画像データであるのか縦長画像データであるのかを判別する工程と、
前記圧縮画像データが横長画像データであると判別された場合、前記画像表示部に表示させる前記部分画像データを横方向に連続的に変更制御することにより前記画像表示部に前記横長画像データ全体をスクロール表示させる工程と、
前記圧縮画像データが縦長画像データであると判別された場合、前記画像表示部に表示させる前記部分画像データを縦方向に連続的に変更制御することにより前記画像表示部に前記縦長画像データ全体をスクロール表示させる工程と、
を有する画像再生方法であることを特徴とする。
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】０２５８
【補正方法】変更
【補正の内容】
【０２５８】
【発明の効果】
本発明によれば、画像データ中の部分画像データを連続して変更制御することにより、画像表示部の縦横比と異なる画像データをスクロール表示することが可能となり、画像表示部の縦横比と同一でない画像データであっても画像表示部に表示することができ、また、画像表示部を有効に利用して大きく見やすく表示することのできる実用性の高い電子スチルカメラ及び画像再生方法を提供することができる。
【手続補正５１】
【補正対象書類名】明細書
【補正対象項目名】０２５９
【補正方法】変更
【補正の内容】
【０２５９】
また、生成手段は、撮像手段によって撮像された画像に基づいて、画像データを生成することができるため、撮像された画像から、画像表示部の縦横比と異なる縦横比をもつ１つの画像データを生成することが可能な実用性の高い電子スチルカメラを提供することができる。
【手続補正５２】
【補正対象書類名】明細書
【補正対象項目名】０２６０
【補正方法】変更
【補正の内容】
【０２６０】
また、被写体を一定方向に連続する複数の画像として撮像する場合、例えば、左から右、或いは右から左への横方向や、上から下、或いは下から上への縦方向等の広角度の撮影時に、連続して撮像した複数の画像から画像表示部の縦横比と異なる縦横比をもつ１つの画像データを生成することが可能な実用性の高い電子スチルカメラを提供することができる。
【手続補正５３】
【補正対象書類名】明細書
【補正対象項目名】０２６１
【補正方法】変更
【補正の内容】
【０２６１】
また、画像表示部の画面範囲いっぱいに画像データを表示して、スクロール表示することが可能であり、例えば、画像表示部の画面の縦幅が同一で横長の画像データや、横幅が同一で縦長の画像データのスクロール表示を効果的に行うことが可能な実用性の高い電子スチルカメラを提供することができる。
【手続補正５４】
【補正対象書類名】明細書
【補正対象項目名】０２６２
【補正方法】変更
【補正の内容】
【０２６２】
また、画像表示部の縦横比と略同一の画像データを取得し、画像表示部に表示することが可能であるため、スクロール表示をすることなく、画像表示部全体に画像データを表示することができ、パノラマ撮影に加えて通常の撮影も行うことのできる実用性の高い電子スチルカメラを提供することができる。
【手続補正５５】
【補正対象書類名】明細書
【補正対象項目名】０２６３
【補正方法】変更
【補正の内容】
【０２６３】
また、画像表示部に表示された報知表示により、表示されている画像データが、画像表示部の縦横比と異なるか否かを容易に把握することができる。即ち、画像表示部に表示されていない画像データがあるか否かを把握することが出来るため、ユーザが通常の撮影画像と勘違いして未表示画像データを見忘れるといったことのない、実用性の高い電子スチルカメラを提供することが可能である。
【手続補正５６】
【補正対象書類名】明細書
【補正対象項目名】０２６４
【補正方法】変更
【補正の内容】
【０２６４】
また、画像表示部に表示されている部分画像データが、画像データ中のどの部分であるのかを容易に把握することのできる実用性の高い電子スチルカメラを提供することが可能である。
【手続補正５７】
【補正対象書類名】明細書
【補正対象項目名】０２６５
【補正方法】変更
【補正の内容】
【０２６５】
また、スクロール指示手段により容易にスクロール表示の方向や停止等の指示が可能な操作性の良い電子スチルカメラを提供することが可能である。
【手続補正５８】
【補正対象書類名】明細書
【補正対象項目名】０２６６
【補正方法】変更
【補正の内容】
【０２６６】
また、画像データを１度スクロール表示した後にスクロール表示を停止することにより、繰り返しスクロール表示をすることのない実用性の高い電子スチルカメラを提供することができる。
【手続補正５９】
【補正対象書類名】明細書
【補正対象項目名】０２６７
【補正方法】変更
【補正の内容】
【０２６７】
また、スクロール表示中に画像データの端の部分画像データが画像表示部に表示された時に、バラエティに富んだスクロール表示を行うことが可能な実用性の高い電子スチルカメラを提供することができる。
【手続補正６０】
【補正対象書類名】明細書
【補正対象項目名】０２６８
【補正方法】変更
【補正の内容】
【０２６８】
また、スクロール表示開始時に表示する部分画像データを、画像データの端あるいは中央の部分とすることができるため、バラエティに富んだスクロール表示の開始をすることが可能であり、かつ特徴のある部分画像データからスクロール表示を開始することにより、スクロール表示開始時点で画像データの内容を容易に把握することのできる実用性の高い電子スチルカメラを提供することができる。
【手続補正６１】
【補正対象書類名】明細書
【補正対象項目名】０２６９
【補正方法】変更
【補正の内容】
【０２６９】
また、ユーザがスクロール表示を実行したい画像データを自由に選択することが可能であり、選択後、自動的にスクロール表示を開始することができるため、簡便な操作によるスクロール表示が可能な、実用性の高い電子スチルカメラを提供することができる。
【手続補正６２】
【補正対象書類名】明細書
【補正対象項目名】０２７０
【補正方法】変更
【補正の内容】
【０２７０】
また、画像データを表示する際に、選択手段により選択された画像データが、画像表示部の表示画面サイズ以上であった場合には自動的にスクロール表示を開始するため、スクロール表示の指示等の煩わしい操作を行う必要がなく操作性の良い電子スチルカメラを提供することが可能である。また、例えば、画像表示部の画面の縦幅が同一で横長の画像データや、横幅が同一で縦長の画像データを取得することにより、画像データのスクロール表示を効果的に行うことが可能な実用性の高い電子スチルカメラを提供することができる。
【手続補正６３】
【補正対象書類名】明細書
【補正対象項目名】０２７１
【補正方法】変更
【補正の内容】
【０２７１】
また、選択手段により選択された画像データが表示される際に、画像データが縦長か横長かに応じて、当該画像データの長手方向にスクロール表示を自動的に行うため、効果的に画像データを表示することのできる実用性の高い電子スチルカメラを提供することが可能である。
【手続補正６４】
【補正対象書類名】明細書
【補正対象項目名】０２７２
【補正方法】変更
【補正の内容】
【０２７２】
また、選択手段により選択された画像データが縦長か横長かに応じて、当該画像データの長手方向に、スクロール指示手段からの指示によってスクロール表示を行うため、画像データのスクロール方向を指示する必要がなく、また所望のスクロール表示の指示を行うことのできる実用性の高い電子スチルカメラを提供することが可能である。
【手続補正６５】
【補正対象書類名】明細書
【補正対象項目名】０２７３
【補正方法】変更
【補正の内容】
【０２７３】
また、全ての画像データを順次切り換えて、画像データ１つずつを画像表示部にスクロール表示することのできる実用性の高い電子スチルカメラを提供することが可能である。
【手続補正６６】
【補正対象書類名】明細書
【補正対象項目名】０２７４
【補正方法】変更
【補正の内容】
【０２７４】
また、撮像された画像データについて、パーソナルコンピュータ等の画像処理装置で表示のための画像処理を行なわずとも、その画像データを電子スチルカメラで画像処理し、外部機器に転送することにより、表示装置等の外部機器で直接表示が可能な実用性の高い電子スチルカメラを提供することができる。